(57)【要約】【課題】電源装置から安定化された直流電圧の供給を受ける制御基板自体が、電源装置から出力される電圧を選択できるようにすることによって、遊技機に使用される電源装置の共通化を実現する。【解決手段】遊技機を制御する制御基板に対して安定化された直流電圧を供給する電源装置であって、前記制御基板に供給された直流電圧を分圧する電圧検出回路を前記制御基板上に搭載し、当該電圧検出回路において分圧された検出値をフィードバック入力し当該検出値を所定の基準電位と比較することにより安定化された直流電圧を前記制御基板に供給することを特徴とする。【選択図】図４
2006122201.tif 000002
【特許請求の範囲】
【請求項１】
遊技機を制御する制御基板に対して安定化された直流電圧を供給する電源装置であって、
前記制御基板に供給された直流電圧を分圧する電圧検出回路を前記制御基板上に搭載し、当該電圧検出回路において分圧された検出値をフィードバック入力し当該検出値を所定の基準電位と比較することにより安定化された直流電圧を前記制御基板に供給することを特徴とする電源装置。
【請求項２】
所定の交流電源を整流する整流回路と、
整流された電源電圧を平滑化する第１の平滑回路と、
前記平滑化された直流電圧をスイッチングするスイッチング回路と、
前記検出値が前記所定の基準電位と同一になるように前記スイッチンッグのデューティ比を制御する電源制御回路と、
前記スイッチングされた電圧を平滑化する第２の平滑回路と、
から構成された請求項１に記載の電源装置。
【請求項３】
商用交流電源を整流する整流回路と、
整流された電源電圧を平滑化する第１の平滑回路と、
前記平滑化された直流電圧を高周波トランスの１次巻線に接続してスイッチングするスイッチング回路と、
前記検出値が前記所定の基準電位と同一になるように前記スイッチングのデューティ比を制御する電源制御回路と、
前記高周波トランスの２次巻線に誘起された電圧を平滑化する第２の平滑回路と、
から構成された請求項１に記載の電源装置。
【請求項４】
前記遊技機を制御する制御基板は、主制御基板と副制御基板とから構成され、前記電圧検出回路は、前記主制御基板上に設けられたことを特徴とする請求項１又は２に記載の電源装置。
【請求項５】
前記遊技機を制御する制御基板は、主制御基板と副制御基板とから構成され、前記電圧検出回路は、前記副制御基板上に設けられたことを特徴とする請求項１又は２に記載の電源装置。
【請求項６】
請求項１乃至５に記載の電源装置を搭載したことを特徴とする遊技機。
【発明の詳細な説明】
【技術分野】
【０００１】
本発明は、例えばパチンコ機やスロットマシン等の遊技機内の制御基板に安定化された直流電圧を供給する電源装置に関する。
【背景技術】
【０００２】
近年の遊技機においては、遊技内容（ゲーム性）の多様化が図られるだけでなく、迫真力や臨場感を出して興趣性を高めるべく、液晶表示装置、高音質スピーカ、ランプ（ＬＥＤ）等の種々のモジュールや装置を駆使して、多種多様な演出がなされている。
【０００３】
例えば、パチンコ機やスロットマシンは、遊技を実行するための各種のモジュールや装置と、これらのモジュール等を駆動制御する制御装置とを備えており、前記制御装置は、遊技処理動作全体を制御する主制御基板と、この主制御基板とは別個に設けられ且つ前記主制御基板からの制御信号に基づいて画像表示および音声出力を含む遊技の演出を制御する副制御基板とを有している。そして、この副制御基板は、具体的には、前記主制御基板からの制御信号に基づいて、液晶表示装置における表示制御、スピーカからの音の出力制御、ランプやＬＥＤの点灯制御（ランプ演出）等を行なって、遊技機の種類に応じて興趣を高めるための種々の演出が行なわれるようになっている（例えば、特許文献１参照）。
【０００４】
このため、このような遊技機の制御装置は、遊技機の種類や型式に応じて多様化してきており、このような制御装置に電源を供給する電源装置は、個々の遊技機の制御仕様（出力電圧及び出力電力）に合わせた専用の電源装置を設計製作する必要があった。
【０００５】
図９は、このような遊技機に搭載される従来の電源装置１０１の構成を示すものである。図９に示すように、従来の電源装置においては、商用交流電源（ＡＣ１００Ｖ）を整流回路５１及び平滑回路５２で整流し平滑化した後に、これを例えば数十乃至数百ＫＨｚの周波数でスイッチングすることにより再び交流電圧に変換し、これを平滑回路５４で平滑化して直流電圧として出力するが、この出力電圧値は、例えばＲ１及びＲ２の２つの抵抗から構成される電圧検出部で分圧され、この分圧された出力電圧値を電源制御回路５５内に設けられた基準電位と比較して、これが基準電位と同一になるようにスイッチング回路５３のデューティ比（１周期間におけるオン時間の比率）を制御するようにしている。
【特許文献１】特開２００３−６２１５９号公報
【発明の開示】
【発明が解決しようとする課題】
【０００６】
しかし、このような従来の電源装置の構成では、電圧検出部が電源装置側に設けられていたために、電源装置から出力される出力電圧は固定化されてしまい、制御基板側が、例えばＤＣ１５Ｖ、ＤＣ１２Ｖ又はＤＣ５Ｖを必要とする場合とでは、電源装置では、これに対応して電圧検出回路又は基準電位を変更したり、別個の電源装置を使用しなければなければならなかったのである。
【０００７】
このため、新開発の遊技機や制御基板の種類に対応してこれに搭載される電源装置の種類も増加してしまい、製造コストや在庫管理コスト等の上昇要因となりコストの低減化を妨げていたのである。
【０００８】
また、遊技機内において、電源装置とこの電源装置から安定化された直流電圧の供給を受ける制御基板間の距離が離れている場合は、その間の電源供給ラインにおける電圧降下が負荷電流の変動に応じて変動することとなり、制御基板側の入力電圧の値が、そこに搭載される集積回路の要求する入力電圧範囲を逸脱してしまうおそれがあった。
【０００９】
本発明は、このような遊技機の制御基板に直流電圧を供給する従来の電源装置の課題に鑑みてなされたものであり、電源装置から安定化された直流電圧の供給を受ける制御基板自体が、電源装置から出力される電圧を選択できるようにすることによって、遊技機に使用される電源装置の共通化又は汎用化を実現することを目的とする。
【００１０】
また、制御基板側に供給された入力電圧の値が、制御基板側の負荷変動に拘らず所定の変動範囲内に収まるようにした電源装置を提供することを目的とする。
【課題を解決するための手段】
【００１１】
このため、請求項１に記載された発明は、遊技機を制御する制御基板に対して安定化された直流電圧を供給する電源装置であって、前記制御基板に供給された直流電圧を分圧する電圧検出回路を前記制御基板上に搭載し、当該電圧検出回路において分圧された検出値をフィードバック入力し当該検出値を所定の基準電位と比較することにより安定化された直流電圧を前記制御基板に供給することを特徴とすることを特徴とする遊技機用制御装置を提供するものである。
【００１２】
この請求項１に記載された発明によれば、負荷側の制御基板上に電圧検知回路を搭載するので、この電圧検知回路を構成する抵抗値等の値を変更することにより、電源装置に手を加えることなく電源装置に出力電圧値を変更できるので、遊技機に使用される電源装置の共通化又は汎用化を可能にできたのである。また、制御基板側の電圧を検出するので、制御基板側の負荷変動に拘らず安定した電圧の供給を可能にしたのである。
【００１３】
また、請求項２に記載された発明は、前記電源装置が、所定の交流電源を整流する整流回路と、整流された電源電圧を平滑化する第１の平滑回路と、前記平滑化された直流電圧をスイッチングするスイッチング回路と、前記検出値が前記所定の基準電位と同一になるように前記スイッチンッグのデューティ比を制御する電源制御回路と、前記スイッチングされた電圧を平滑化する第２の平滑回路と、から構成されたことを特徴とするものである。
【００１４】
この請求項２に記載された発明は、商用電源から絶縁された例えばＡＣ２４Ｖ等の交流電源から安定化された直流電圧を効率良く生成するチョッピング方式のスイッチング電源装置であり、本発明の上記目的を比較的低コストで達成可能な電源装置を提供可能とするものである。
【００１５】
また、請求項３に記載された発明は、商用交流電源を整流する整流回路と、整流された電源電圧を平滑化する第１の平滑回路と、前記平滑化された直流電圧を高周波トランスの１次巻線に接続してスイッチングするスイッチング回路と、前記検出値が前記所定の基準電位と同一になるように前記スイッチングのデューティ比を制御する電源制御回路と、前記高周波トランスの２次巻線に誘起された電圧を平滑化する第２の平滑回路と、から構成されたことを特徴とするものである。
【００１６】
この請求項３に記載された発明は、商用電源から出力直流電圧を絶縁するタイプのスイッチング電源装置であり、商用電源側と直流出力回路は、上記高周波トランスによって絶縁されると共に、当該高周波トランスの２次側には、複数の巻線を施すことにより複数の出力電圧を取り出すことを可能にしている。
【００１７】
さらに、請求項４に記載された発明は、遊技機を制御する制御基板は、主制御基板と副制御基板とから構成され、前記電圧検出回路は、前記主制御基板上に設けられたことを特徴とするものである。
【００１８】
この請求項４に記載された発明は、遊技機を制御する制御基板が主制御基板と副制御基板とから構成された場合、主制御基板上に設けられた電圧検出回路によって電源装置の出力電圧を決定することを可能にするものである。
【００１９】
また、請求項５に記載された発明は、遊技機を制御する制御基板は、主制御基板と副制御基板とから構成され、前記電圧検出回路は、前記副制御基板上に設けられたことを特徴とするものである。
【００２０】
この請求項５に記載された発明は、遊技機を制御する制御基板が主制御基板と副制御基板とから構成された場合、副制御基板上に設けられた電圧検出回路によって電源装置の出力電圧を決定することを可能にするものである。
【発明の効果】
【００２１】
本発明の遊技機に搭載される電源装置は、電源装置から安定化された直流電圧の供給を受ける制御基板側で、電源装置から出力される電圧を選択できるので、遊技機に使用される電源装置の共通化又は汎用化を実現したのである。また、制御基板側に供給された入力電圧の値を、制御基板側の負荷変動に拘らず一定の変動範囲内に収めることを実現したのである。
【発明を実施するための最良の形態】
【００２２】
以下、図面に基づいて本発明の実施形態を説明するが、初めに、図１及び図２に基づいて本発明の電源装置が搭載されるスロットマシンとパチンコ機の動作概要を説明し、次に、図３に基づいてこれらの遊技機を制御する制御装置の構成とその概要について説明する。そして、図３乃至８に基づいて、本発明に係る遊技機に搭載される電源装置の実施形態について説明する。
【００２３】
図１は、遊技機の例としてのスロットマシンの動作概要を説明する図である。図示のように、このスロットマシン１は、遊技媒体としてコイン、メダル又はトークンなどを用いる。スロットマシン１を構成するキャビネット２の正面には、略垂直面を成す例えば１５インチの液晶表示装置２ａが形成されている。この液晶表示装置２ａには、遊技に関連する情報や演出表示としてのアニメーション等が表示される。また、液晶表示装置２ａを通じて複数本の入賞ラインも表示される。
【００２４】
この場合、後述するＢＥＴスイッチの特定の操作（例えば１回の押し操作）又はメダル投入口２２からコインを１枚投入することにより１本の入賞ラインが有効化され、前記ＢＥＴスイッチの特定の操作（例えば２回の押し操作）又はコインを２枚投入することにより３本の入賞ラインが有効化され、後述する最大ＢＥＴスイッチ１３の操作又はコインを３枚投入することにより５本の入賞ラインが有効化される。
【００２５】
キャビネット２の内部には、各々の外周面に複数種類の図柄によって構成される図柄列が描かれ且つレバー６の操作により回転を開始する３個のリールが回転自在に横一列に設けられている。なお、これらのリールは、液晶表示装置２ａを通じて視認できるようになっている。各リールの回転は、一定時間経過後自動的に又は遊技者の停止操作によって個別に停止制御される。全てのリールが停止し、液晶表示装置２ａ内におけるリール表面に表示された図柄が所定の組み合わせの入賞態様になった場合には、入賞の報酬としてメダル払出用のホッパーから所定枚数の遊技メダルが払い戻される。なお、メダルは、キャビネット２の正面下部のメダル払出し口１５から払い出され、払い出されたメダルはメダル受け部１６に溜められる。
【００２６】
液晶表示装置２ａの片側の領域Ｓには、ＷＩＮランプ、払出表示部、遊技状態を示す複数のランプ、ボーナス遊技情報表示部等が設けられている。前記ＷＩＮランプは、ボーナスに入賞したときに点灯するが、ボーナスに内部抽選で当選した場合は、所定確率で点灯する。前記払出表示部は、７セグメントＬＥＤから成り、入賞時のコインの払出枚数を表示する。前記ボーナス遊技情報表示部は、７セグメントＬＥＤから成り、ボーナスゲーム可能回数及びボーナスゲーム入賞可能回数を表示する。
【００２７】
液晶表示装置２ａの下方には水平面の台座部１０が形成され、この台座部１０上に、前述した最大ＢＥＴスイッチ１３および他のＢＥＴスイッチ（図示せず）とコイン投入口２２とが設けられている。例えば前記他のＢＥＴスイッチが１回押し操作されることにより、クレジットされているコインのうちの１枚がゲームに賭けられ、前記他のＢＥＴスイッチが２回押し操作されることにより、クレジットされているコインのうちの２枚がゲームに賭けられ、最大ＢＥＴスイッチ１３が１回押し操作されることにより、ゲームに賭けることが可能な最大枚数のコインが賭けられる。これらのＢＥＴスイッチを操作することで、前述のとおり、所定の入賞ラインが有効化される。なお、最大ＢＥＴスイッチ１３の図中左側には、非遊技状態中に各種遊技情報を液晶表示装置２ａに表示させるための選択ボタン１１と、その選択を決定するための決定ボタン１２とが設けられている。
【００２８】
台座部１０の前面部の片側には、遊技者の操作により前記リールを回転させて液晶表示装置２ａ内での図柄の変動表示を開始するためのスタートレバー６が所定の角度範囲で回動自在に取り付けられている。台座部１０の前面部中央には、３個のリールの回転を夫々個別に停止させるための３個の停止ボタン７Ｌ、７Ｃ、７Ｒが設けられている。
【００２９】
キャビネット２の上方の左右には、音声出力装置としての第１および第２のスピーカ２１Ｌ、２１Ｒが設けられ、また、スロットマシン１の背面には、音声出力装置としての第３および第４のスピーカ２２Ｌ、２２Ｒ（図４参照）が設けられている。これらのスピーカ２１Ｌ、２１Ｒ、２２Ｌ、２２Ｒは、遊技状態を演出する効果音を出力するようになっている。また、第１および第２のスピーカ２１Ｌ、２１Ｒの間には、入賞となる図柄の組み合わせ及びコインの配当枚数等を表示する配当表パネル２３が設けられている。
【００３０】
図２には、遊技機の他の例としてのパチンコ機３０が示されている。図示のように、パチンコ機３０は、矩形枠状の本体枠の窓枠３１に組み込まれた矩形板状の遊技盤３２と、遊技盤３２の下方に設けられた上皿３３及び下皿３４と、同下皿３４の右側に設けられた発射ハンドル３５とを有している。
【００３１】
また、遊技盤３２の前面側には通常複数の障害釘が打ちこまれている。しかし、釘を打ち込むような構成とせず、遊技盤３２を樹脂素材で成形し、この樹脂素材の遊技盤３２に金属製の棒状体を遊技盤３２の前方向に突出するように植設しても良い。
【００３２】
さらに、発射ハンドル３５は本体枠に対して回動自在に設けられており、遊技者は、発射ハンドル３５を操作することにより、遊技球を遊技盤３２上に発射してパチンコ遊技を行なう。発射ハンドル３５の裏側には、遊技玉発射用のモータ（図示せず）が設けられており、発射ハンドル３５が遊技者によって時計回り方向へ回動操作されたときには、発射モータに電力が供給され、上皿３３に貯留された遊技球が遊技盤３２に順次発射される。発射された遊技球は、遊技盤３２上に設けられたガイドレール３６に案内されて遊技盤３２の上部に移動し、その後、前述した複数の障害釘等との衝突によりその進行方向を変えながら遊技盤３２の下方に向かって落下する。
【００３３】
遊技盤３２の前面は、例えば２０インチの液晶表示装置３２Ａを形成しており、遊技状況に応じて遊技者に遊技情報を提供するための画像又は文字を表示するようになっている。遊技球が遊技盤３２における所定位置を通過したことが検出されたときには、液晶表示装置３２Ａにおいて普通図柄の変動表示が開始され、所定の時間経過した後、普通図柄の変動表示が停止される。
【００３４】
この普通図柄は、数字や記号等からなる情報であり、例えば「０」〜「９」の数字や「＄」等の記号である。この普通図柄が所定の図柄、例えば「７」となって停止して表示されたときには、始動口４０の左右両側に設けられている可動片４１ａ、４１ｂを駆動するために、遊技盤３２の裏面側に設けられたソレノイドに電流が供給される。そして、始動口４０に遊技球が入りやすくなるように可動片４１ａ、４１ｂが駆動され、始動口４０が開放状態となるように制御される。なお、始動口４０を開放状態とした後、所定の時間が経過したときには、可動片４１ａ、４１ｂを駆動して始動口４０を閉塞状態とし、遊技球が入りにくくなるようにしている。
【００３５】
また、パチンコ遊技機３０の上部の両サイドには、遊技状態を有効に演出する効果音を音声出力する音声出力装置としてのスピーカ４６Ｌ、４６Ｒと、演出表示のためのランプ表示装置７７等が設けられている。さらに、遊技盤３２の下部には大当たり入賞装置４２が設けられている。この大当たり入賞装置４２の大入賞口４３には、シャッタ４４が配設されている。シャッタ４４は、遊技者に有利な状況の一つである「大当たり」と呼ばれる遊技状態になった場合に、開放状態となるように遊技盤３２の裏面側に設けられたソレノイドにより駆動される。そして、遊技球が所定時間或いは所定入賞球数に至るまで大入賞口４２に入って、所要個数の賞球が出されると、シャッタ４４が閉塞される。しかし、シャッタ４４の開放時にそのうちの１球が特定領域に入球すると、シャッタ４４は所定時間経過後或いは所定数入球後においても次の開放が約束され、これが所定限度回数まで繰り返えされることによって、遊技者にとって有利な遊技状態となる。
【００３６】
また、遊技盤３２上には、この他、一般入賞口又は特別入賞口４５、４７等が設けられている。このようにして、上述した大入賞口４３、始動口４０、一般入賞口又は特別入賞口４５、４７等に遊技球が入ったときには、入賞口の種類に応じて予め設定されている数の遊技球が賞球として上皿３３に払い出されるようになっている。さらに、遊技盤３２上には、遊技状態に応じて遊技者に視覚的に情報を点灯するランプが設けられている。
【００３７】
図３は、本発明の電源装置１０１が安定化された直流電圧を供給する対象となる遊技機の制御装置（制御基板）の例を示す。上述のように、図１に示すパチスロ機１においては、演出効果を高めるための液晶表示装置２ａが組み込まれており、画像データに基づいて、画像表示部２ａにおける画像表示を制御すると共に、それに応じて複雑な効果音を発生するための音源データを制御する必要がある。同様に、図２に示すパチンコ機３０においては、演出効果を高めるための液晶表示装置３２Ａが組み込まれている。このため、これ等の遊技機においては、遊技の進行を制御する制御回路を、専ら遊技処理動作を制御するための主制御基板１０２上に設けておき、それ以外の処理を制御する制御回路（画像表示制御や音声制御等を司る演出制御回路）を、主制御基板１０２とは分割され且つ主制御基板１０２から各種のコマンド（インストラクション）を受けて実行する副制御基板１０３上に設けている。
【００３８】
そして、本発明の電源装置１０１は、主制御基板１０２と副制御基板１０３とに所定の安定化された直流電圧を供給するのである。ここで、直流電圧の供給形態としては、図３に示すように、電源装置１０１は、主制御基板１０２と副制御基板１０３に対してパラレルに直流電圧を供給する形態と、図７に記載されたように、電源装置１０１から主制御基板１０２に直流電圧を供給し、副制御基板１０３へは主制御基板１０２を経由して直流電圧が供給される形態もある。
【００３９】
ここで、図３に示した直流電圧の供給形態においては、出力電圧の電圧検出回路は、主制御基板１０２又は副制御基板１０３の何れに設けてもよい。そして、図７に示された直流電圧の供給形態においては、出力電圧の電圧検出回路は、主制御基板１０２にも受けられることとなる。
【００４０】
このように、遊技機の制御装置の多くは、主制御基板１０２と副制御基板１０３とから構成されており、主制御基板１０２は、通信ライン１１１を介して副制御基板１０３に接続されている。ここで、主制御基板１０２は、パチンコ機３０における遊技の主たる制御を行ない、副制御基板１０３は、主制御基板１０２からの信号に基づいてパチンコ機３０における演出表示及び音声出力の制御処理等を行なう。ここで、主制御基板１０２から延びる通信ライン１１１は、副制御基板１０３上の通信コネクタ１１３に接続される。そして、副制御基板１０３には電源基板１０１から電力を受けるための電源コネクタ１１５が設けられ、この副制御基板１０３は、パチンコ機３０を構成する複数のモジュール、例えば液晶表示装置３２Ａ、スピーカ４６Ｌ、４６Ｒ、ランプ又はＬＥＤ７７等を前記主制御基板１０２からの制御指令信号に基づいて駆動制御するのである。
【００４１】
このため、遊技機を制御する制御装置が要求する直流電圧とその負荷電流は、遊技機の種類や型番によってその制御対象や演出内容が大きく変わることから、遊技機毎に異なるのである。
【００４２】
図４は、遊技機を制御する制御基板に対して安定化された直流電圧を供給する本発明の電源装置の構成を示すものである。図４において、整流回路５１は、入力された交流電源（例えばＡＣ１００Ｖ）を整流し、整流回路５１で整流された交流電源は１次側の平滑回路５２で平滑化される。平滑化された電圧は、スイッチング回路５３により、例えば数十乃至数百ＫＨｚの周波数でスイッチングされる。そして、スイッチングされた電力は、２次側の平滑回路５４で平滑化され直流電圧となる。この出力電圧値は、遊技機の制御装置を構成する主制御基板１０２又は副制御基板１０３に出力される。
【００４３】
そして、本電源装置においては、電源装置の負荷であるこの主制御基板１０２又は副制御基板１０３に電圧検出部１２０が設けられた点に特徴がある。この電圧検出部１２０は、例えばＲ１及びＲ２の２つの抵抗から構成される。そして、この分圧された出力検出値をフィードバック入力し、電源制御回路５５内に設けられた基準電位と比較して、このフィードバックされた出力検出値が基準電位と同一になるようにスイッチング回路５３のデューティ比（１周期間におけるオン時間の比率）を制御するようにしたのである。
【００４４】
このように本電源装置１０１においては、電源装置１０１から安定化された直流電圧の供給を受ける制御基板側１０２又は１０３に設けられた電圧検出部１２０を構成するＲ１とＲ２の比率（Ｒ１／Ｒ１＋Ｒ２）を変更するだけで、電源装置から出力される電圧を任意に選択できるのである。また、制御基板１０２又は１０３側に供給された入力電圧の値を、制御基板側１０２又は１０３の負荷変動に拘らず一定の変動範囲内に収めることができるのである。
【００４５】
図５は、本発明の電源装置の第１の実施の形態の例を示すものである。図５に示した本電源装置は、商用電源から絶縁されたＡＣ２４Ｖの交流電源から安定化された直流電圧を効率良く生成するチョッピング方式のスイッチング電源装置であり、本発明の目的を比較的低コストで達成するものである。
【００４６】
図５において、整流回路５１は、入力されたＡＣ２４Ｖを全波整流し、整流回路５１で全波整流された交流電源は１次側の平滑回路５２構成する電解コンデンサＣ１で平滑化される。平滑化された電圧は、スイッチング回路５３により、例えば数十乃至数百ＫＨｚの周波数でチョッピング（スイッチング）される。このスイッチンッグは自励式でも他励式でもよい。次に、スイッチングされた電力は、２次側の平滑回路５４を構成するダイオードＤ５、インダクタコイルＬ１及びコンデンサＣ２により平滑化され直流電圧となる。そして、直流出力電圧Ｖｏｕｔは、遊技機の制御装置を構成する主制御基板１０２又は副制御基板１０３に出力される。
【００４７】
ここで、この主制御基板１０２又は副制御基板１０３に電圧検出部が設けられており、この電圧検出部は、直流出力電圧Ｖｏｕｔを分圧する２つの抵抗Ｒ１、Ｒ２から構成される。Ｒ１はゼロ電位のＧＮＤに接続されているので、この分圧電圧値（すなわち出力検出値）Ｖｄは、（Ｖｏｕｔ×Ｒ１）／（Ｒ１＋Ｒ２）となる。そしてこのＶｄが、電源制御回路５５内に設けられた基準電位Ｖｒｅｆと比較して、この出力検出値Ｖｄが基準電位と同一になるようにスイッチング回路５３のデューティ比（１周期間におけるオン時間の比率）が制御されるのである。
【００４８】
例えば、２つの抵抗Ｒ１とＲ２が共に３．３ｋΩで、Ｖｒｅｆが２．５Ｖに設定されていた場合、本電源装置１０１は、ＶｏｕｔとしてＤＣ５Ｖを出力する。しかし、電源装置１０１を一切変更することなく、制御基板１０２又は１０３側で、例えば、Ｒ１を３．３ｋΩのままにして、Ｒ２を１２．５４ｋΩにするだけで、電源装置１０１から出力される直流出力電圧ＶｏｕｔをＤＣ１２Ｖとすることができるのである。
【００４９】
ところで、図５において、電源制御回路５５は、電圧検出部の分圧電圧値（出力検出値）Ｖｄを基準電位Ｖｒｅｆと比較するコンパレータ（比較器）ＣＭＰ１と、ノコギリ波発振回路とＣＭＰ１の出力値を比較してその電圧差を出力するコンパレータ（比較器）ＣＭＰを有する。ここで、Ｒ３とＲ４は、コンパレータ（比較器）ＣＭＰ１の増幅度を定める定数である。
【００５０】
図６は、本発明の電源装置の第２の実施の形態の例を示すものである。図５に示した本電源装置は、商用電源（ＡＣ１００Ｖ、５０／６０Ｈｚ）から出力直流電圧を絶縁するタイプのスイッチング電源装置であり、商用電源側と直流出力回路は、高周波トランスＴ１によって絶縁される。このため、フィードバック回路もトランスＴ２によって絶縁している。本実施の形態では、図示しないものの高周波トランスＴ１の２次側に、複数の巻線を施すことにより複数の出力電圧を取り出すことを可能にしている。
【００５１】
この第２の実施の形態に係る本電源装置のこれ以外の構成は、図５に示した第１の実施の形態と同様であるのでその詳しい説明は省略するが、直流出力電圧Ｖｏｕｔは、遊技機の制御装置を構成する主制御基板１０２又は副制御基板１０３に出力され、この主制御基板１０２又は副制御基板１０３に電圧検出部が設けられており、この電圧検出部は、直流出力電圧Ｖｏｕｔを分圧する２つの抵抗Ｒ１、Ｒ２から構成される。Ｒ１は、ゼロ電位のＧＮＤに接続されているので、この分圧電圧値（すなわち出力検出値）Ｖｄは、（Ｖｏｕｔ×Ｒ１）／（Ｒ１＋Ｒ２）となる。そしてこのＶｄが、電源制御回路５５内に設けられた基準電位Ｖｒｅｆと比較して、この出力検出値Ｖｄが基準電位と同一になるようにスイッチング回路５３のデューティ比（１周期間におけるオン時間の比率）が制御されるのである。
【００５２】
図７は、本電源装置１０１による、直流出力電圧Ｖｏｕｔの供給形態の例を示すものである。この供給形態の例においては、電源装置１０１からは、主制御基板１０２に直流出力電圧Ｖｏｕｔを供給し、副制御基板１０３へは主制御基板１０２を経由して直流出力電圧Ｖｏｕｔが供給されるのである。このため、図４に示した電圧検出回路は、主制御基板１０２側に設けられるのである。
【００５３】
図７に示すように、遊技機の制御装置は、主制御基板１０２と副制御基板１０３とから構成されており、主制御基板１０２は、通信ライン１１１を介して副制御基板１０３に接続されている。ここで、主制御基板１０２は、遊技機の主たる制御を行ない、副制御基板１０３は、主制御基板１０２からの指令に基づいてパチンコ機３０におけるランプ装置７７、液晶演出表示装置３２Ａ及びスピーカ装置４６Ｌ、４６Ｒの制御処理等を行なうのである。
【００５４】
図８は、本電源装置１０１による、直流出力電圧Ｖｏｕｔの供給形態の他の例を示すものである。この供給形態の例では、電源装置１０１は、主制御基板１０２と副制御基板１０３に対してパラレルに直流電圧を供給している。従って、図４に示した電圧検出回路は、主制御基板１０２又は副制御基板１０３の何れに設けてもよい。
【００５５】
以上詳しく説明したように、遊技機を制御する制御基板に対して安定化された直流電圧を供給する本電源装置であっては、制御基板に供給された直流電圧を分圧する電圧検出回路を制御基板上に搭載し、この電圧検出回路において分圧された検出値をフィードバック入力し当該検出値を所定の基準電位と比較することにより安定化された直流電圧を前記制御基板に供給するようにした。
【００５６】
これにより、本電源装置においては、負荷側の制御基板上に電圧検知回路を搭載するので、この電圧検知回路を構成する抵抗値等の値を変更するだけで、電源装置に出力電圧値を自由に設定変更できるので、遊技機に使用される電源装置の汎用性を向上させたのである。そして、制御基板側の電圧を検出するので、制御基板側の負荷変動に拘らず安定した電圧の供給を可能にしたのである。
【産業上の利用可能性】
【００５７】
本発明は、スロットマシンやパチンコ機を含む様々な遊技機の制御装置に安定化された直流電圧を供給する電源装置に関するものであり、産業上の利用可能性を有する。
【図面の簡単な説明】
【００５８】
【図１】本発明の電源装置を搭載可能なスロットマシンの正面図である。
【図２】本電源装置を搭載可能なパチンコ機の斜視図である。
【図３】本電源装置が安定化された直流電圧を供給する対象となる制御装置（制御基板）の構成例を示す。
【図４】本電源装置の構成を示す。
【図５】本電源装置の第１の実施の形態の例を示す。
【図６】本電源装置の第２の実施の形態の例を示す。
【図７】本電源装置による直流出力電圧の供給形態の一例を示す。
【図８】本電源装置による直流出力電圧の供給形態の他の例を示す。
【図９】従来技術に係る電源装置の構成例を示す。
【符号の説明】
【００５９】
１  スロットマシン（遊技機）
３０  パチンコ機（遊技機）
１０１  電源装置
１０２  主制御基板
１０３  副制御基板
５１  整流回路
５２  平滑回路（１次側）
５３  スイッチンッグ回路
５４  平滑回路（２次側）
５５  電源制御回路
１２０  電圧検出部
【図１】
2006122201.tif 000003
【図２】
2006122201.tif 000004
【図３】
2006122201.tif 000005
【図４】
2006122201.tif 000006
【図５】
2006122201.tif 000007
【図６】
2006122201.tif 000008
【図７】
2006122201.tif 000009
【図８】
2006122201.tif 000010
【図９】
2006122201.tif 000011